(57)【特許請求の範囲】
【請求項１】
圧縮機及び室外熱交換器を備えた室外ユニットと、室内熱交換器を備えた複数台の室内ユニットとがユニット間配管により接続され、上記室外熱交換器の一端が、上記圧縮機の冷媒吐出管と冷媒吸込管とに択一に分岐して接続され、上記ユニット間配管が、上記冷媒吐出管に接続された高圧ガス管と、上記冷媒吸込管に接続された低圧ガス管と、上記室外熱交換器の他端に接続された液管とを有して構成され、上記室内熱交換器の一端が、高圧開閉弁を介して上記高圧ガス管に接続されると共に、低圧開閉弁を介して上記低圧ガス管に接続され、他端が上記液管にそれぞれ接続され、複数台の上記室内ユニットを同時に冷房運転若しくは暖房運転可能とし、または、これらの冷房運転と暖房運転を混在して実施可能とするよう構成された空気調和装置において、
上記圧縮機の発停を制御するマグネットスイッチを有し、
このマグネットスイッチが溶着して上記圧縮機が連続運転状態となった場合、上記高圧開閉弁と上記低圧開閉弁とを共に開いて、上記圧縮機の吐出冷媒を、上記高圧ガス管、上記高圧開閉弁、上記低圧開閉弁及び上記低圧ガス管を順次経て上記圧縮機に戻す制御手段を有したことを特徴とする空気調和装置。
【請求項２】
圧縮機及び室外熱交換器を備えた室外ユニットと、室内熱交換器及び室内膨張弁を備えた複数台の室内ユニットとがユニット間配管により接続され、上記室外熱交換器の一端が、上記圧縮機の冷媒吐出管と冷媒吸込管とに択一に分岐して接続され、上記ユニット間配管が、上記冷媒吐出管に接続された高圧ガス管と、上記冷媒吸込管に接続された低圧ガス管と、上記室外熱交換器の他端に接続された液管とを有して構成され、上記室内熱交換器の一端が、高圧開閉弁を介して上記高圧ガス管に接続されると共に、低圧開閉弁を介して上記低圧ガス管に接続され、他端が上記液管にそれぞれ接続され、複数台の上記室内ユニットを同時に冷房運転若しくは暖房運転可能とし、または、これらの冷房運転と暖房運転を混在して実施可能とするよう構成された空気調和装置において、
上記圧縮機の発停を制御するマグネットスイッチを有し、
このマグネットスイッチが溶着して上記圧縮機が連続運転状態となった場合、複数台の室内ユニットを同時に冷房運転させると共に、上記室内膨張弁の弁開度を所定開度に絞って、上記圧縮機の吐出冷媒を、上記室外熱交換器、上記液管、上記室内膨張弁、上記室内熱交換器、上記低圧開閉弁及び上記低圧ガス管を順次経て上記圧縮機に戻す制御手段を有したことを特徴とする空気調和装置。
【請求項３】
上記室外熱交換器が水冷式であって、上記制御手段が上記室外熱交換器に冷却水を供給するポンプを強制的に運転継続させることを特徴とする請求項２記載の空気調和装置。
【請求項４】
圧縮機及び室外熱交換器を備えた室外ユニットと、室内熱交換器を備えた複数台の室内ユニットとがユニット間配管により接続され、上記室外熱交換器の一端が、上記圧縮機の冷媒吐出管と冷媒吸込管とに択一に分岐して接続され、上記ユニット間配管が、上記冷媒吐出管に接続された高圧ガス管と、上記冷媒吸込管に接続された低圧ガス管と、上記室外熱交換器の他端に接続された液管とを有して構成され、上 記室内熱交換器の一端が、高圧開閉弁を介して上記高圧ガス管に接続されると共に、低圧開閉弁を介して上記低圧ガス管に接続され、他端が上記液管にそれぞれ接続され、複数台の上記室内ユニットを同時に冷房運転若しくは暖房運転可能とし、または、これらの冷房運転と暖房運転を混在して実施可能とするよう構成された空気調和装置の運転方法において、
上記圧縮機の発停を制御するマグネットスイッチを有し、
このマグネットスイッチが溶着して上記圧縮機が連続運転状態となった場合、上記高圧開閉弁と上記低圧開閉弁とを共に開いて、上記圧縮機の吐出冷媒を、上記高圧ガス管、上記高圧開閉弁、上記低圧開閉弁及び上記低圧ガス管を順次経て上記圧縮機に戻すことを特徴とする空気調和装置の運転方法。
【請求項５】
圧縮機及び室外熱交換器を備えた室外ユニットと、室内熱交換器及び室内膨張弁を備えた複数台の室内ユニットとがユニット間配管により接続され、上記室外熱交換器の一端が、上記圧縮機の冷媒吐出管と冷媒吸込管とに択一に分岐して接続され、上記ユニット間配管が、冷媒吐出管に接続された高圧ガス管と、冷媒吸込管に接続された低圧ガス管と、室外熱交換器の他端に接続された液管とを有して構成され、上 記室内熱交換器の一端が、高圧開閉弁を介して上記高圧ガス管に接続されると共に、低圧開閉弁を介して上記低圧ガス管に接続され、他端が上記液管にそれぞれ 接続され、複数台の室内ユニットを同時に冷房運転若しくは暖房運転可能とし、または、これらの冷房運転と暖房運転を混在して実施可能とするよう構成された空気調和装置の運転方法において、
上記圧縮機の発停を制御するマグネットスイッチを有し、
このマグネットスイッチが溶着して上記圧縮機が連続運転状態となった場合、複数台の室内ユニットを同時に冷房運転させると共に、上記室内膨張弁の弁開度を所定開度に絞って、上記圧縮機の吐出冷媒を、上記室外熱交換器、上記液管、上記室内膨張弁、上記室内熱交換器、上記低圧開閉弁及び上記低圧ガス管を順次経て上記圧縮機に戻すことを特徴とする空気調和装置の運転方法。
【請求項６】
上記室外熱交換器が水冷式であって、上記冷房運転中にこの室外熱交換器に冷却水を供給するポンプを強制的に運転継続することを特徴とする請求項５記載の空気調和装置の運転方法。
【発明の詳細な説明】
【０００１】
【発明の属する技術分野】
本発明は室外ユニットと複数台の室内ユニットを有し、複数台の室内ユニットを同時に冷房運転もしくは暖房運転可能とし、または、これらの暖房運転と冷房運転を混在して実施可能とする空気調和装置及びその運転方法に関する。
【０００２】
【従来の技術】
複数台の室内ユニットを同時に冷房運転もしくは暖房運転可能とし、または、これらの暖房運転と冷房運転を混在して実施可能とする空気調和装置は、例えば特許２８０４５２７号公報などに掲載されている。この種の空気調和装置では、一般に、圧縮機の発停を制御するマグネットスイッチを有し、例えば空調負荷に応じて上記圧縮機を発停させる制御をおこなっている。
【０００３】
【発明が解決しようとする課題】
しかしながら、従来の構成では、マグネットスイッチが溶着して圧縮機が連続運転状態となった場合、例えば空調負荷に対応した制御がきかなくなり、冷媒の高圧が上昇し、或いは圧縮機の吐出温度が上昇する等の問題がある。また、圧縮機への液バックが発生する等の問題がある。
【０００４】
そこで、本発明の目的は、上述した従来技術が有する課題を解消し、マグネットスイッチが溶着して圧縮機が連続運転状態となっても、冷媒の高圧が上昇せず、圧縮機の吐出温度が上昇せず、或いは圧縮機への液バックが発生することのない、空気調和装置及びその運転方法を提供することにある。
【０００５】
【課題を解決するための手段】
請求項１に記載の発明は、圧縮機及び室外熱交換器を備えた室外ユニットと、室内熱交換器を備えた複数台の室内ユニットとがユニット間配管により接続され、上記室外熱交換器の一端が、上記圧縮機の冷媒吐出管と冷媒吸込管とに択一に分岐して接続され、上記ユニット間配管が、上記冷媒吐出管に接続された高圧ガス管と、上記冷媒吸込管に接続された低圧ガス管と、上記室外熱交換器の他端に接続された液管とを有して構成され、上記室内熱交換器の一端が、高圧開閉弁を介して上記高圧ガス管に接続されると共に、低圧開閉弁を介して上記低圧ガス管に接続され、他端が上記液管にそれぞれ接続され、複数台の上記室内ユニットを同時に冷房運転若しくは暖房運転可能とし、または、これらの冷房運転と暖房運転を混在して実施可能とするよう構成された空気調和装置において、上記圧縮機の発停を制御するマグネットスイッチを有し、このマグネットスイッチが溶着して上記圧縮機が連続運転状態となった場合、上記高圧開閉弁と上記低圧開閉弁とを共に開いて、上記圧縮機の吐出冷媒を、上記高圧ガス管、上記高圧開閉弁、上記低圧開閉弁及び上記低圧ガス管を順次経て上記圧縮機に戻す制御手段を有したことを特徴とする。
【０００６】
この発明では、上記高圧開閉弁と上記低圧開閉弁とが共に開かれるため、圧縮機の吐出冷媒が、室内熱交換器をバイパスして、上記ユニット間配管を通じて圧縮機の吸込管に戻される。
【０００７】
従って、負荷がほとんどかからず、マグネットスイッチが溶着して圧縮機が連続運転状態となっても、冷媒の高圧が上昇せず、吐出温度が上昇せず、圧縮機への液バックが発生しない。
【０００８】
請求項２記載の発明は、圧縮機及び室外熱交換器を備えた室外ユニットと、室内熱交換器及び室内膨張弁を備えた複数台の室内ユニットとがユニット間配管により接続され、上記室外熱交換器の一端が、上記圧縮機の冷媒吐出管と冷媒吸込管とに択一に分岐して接続され、上記ユニット間配管が、上記冷媒吐出管に接続された高圧ガス管と、上記冷媒吸込管に接続された低圧ガス管と、上記室外熱交換器の他端に接続された液管とを有して構成され、上記室内熱交換器の一端が、高圧開閉弁を介して上記高圧ガス管に接続されると共に、低圧開閉弁を介して上記低圧ガス管に接続され、他端が上記液管にそれぞれ接続され、複数台の上記室内ユニットを同時に冷房運転若しくは暖房運転可能とし、または、これらの冷房運転と暖房運転を混在して実施可能とするよう構成された空気調和装置において、上記圧縮機の発停を制御するマグネットスイッチを有し、このマグネットスイッチが溶着して上記圧縮機が連続運転状態となった場合、複数台の室内ユニットを同時に冷房運転させると共に、上記室内膨張弁の弁開度を所定開度に絞って、上記圧縮機の吐出冷媒を、上記室外熱交換器、上記液管、上記室内膨張弁、上記室内熱交換器、上記低圧開閉弁及び上記低圧ガス管を順次経て上記圧縮機に戻す制御手段を有したことを特徴とする。
【０００９】
請求項３記載の発明は、請求項２記載のものにおいて、上記室外熱交換器が水冷式であって、上記制御手段が室外熱交換器に冷却水を供給するポンプを強制的に駆動させることを特徴とする。
【００１０】
請求項４記載の発明は、圧縮機及び室外熱交換器を備えた室外ユニットと、室内熱交換器を備えた複数台の室内ユニットとがユニット間配管により接続され、上記室外熱交換器の一端が、上記圧縮機の冷媒吐出管と冷媒吸込管とに択一に分岐して接続され、上記ユニット間配管が、上記冷媒吐出管に接続された高圧ガス管と、上記冷媒吸込管に接続された低圧ガス管と、上記室外熱交換器の他端に接続された液管とを有して構成され、上記室内熱交換器の一端が、高圧開閉弁を介して上記高圧ガス管に接続されると共に、低圧開閉弁を介して上記低圧ガス管に接続され、他端が上記液管にそれぞれ接続され、複数台の上記室内ユニットを同時に冷房運転若しくは暖房運転可能とし、または、これらの冷房運転と暖房運転を混在して実施可能とするよう構成された空気調和装置の運転方法において、上記圧縮機の発停を制御するマグネットスイッチを有し、このマグネットスイッチが溶着して上記圧縮機が連続運転状態となった場合、上記高圧開閉弁と上記低圧開閉弁とを共に開いて、上記圧縮機の吐出冷媒を、上記高圧ガス管、上記高圧開閉弁、上記低圧開閉弁及び上記低圧ガス管を順次経て上記圧縮機に戻すことを特徴とする。
【００１１】
請求項５記載の発明は、圧縮機及び室外熱交換器を備えた室外ユニットと、室内熱交換器及び室内膨張弁を備えた複数 台の室内ユニットとがユニット間配管により接続され、上記室外熱交換器の一端が、上記圧縮機の冷媒吐出管と冷媒吸込管とに択一に分岐して接続され、上記ユニット間配管が、冷媒吐出管に接続された高圧ガス管と、冷媒吸込管に接続された低圧ガス管と、室外熱交換器の他端に接続された液管とを有して構成され、上記室内熱交換器の一端が、高圧開閉弁を介して上記高圧ガス管に接続されると共に、低圧開閉弁を介して上記低圧ガス管に接続され、他端が上記液管にそれぞれ 接続され、複数台の室内ユニットを同時に冷房運転若しくは暖房運転可能とし、または、これらの冷房運転と暖房運転を混在して実施可能とするよう構成された空気調和装置の運転方法において、上記圧縮機の発停を制御するマグネットスイッチを有し、このマグネットスイッチが溶着して上記圧縮機が連続運転状態となった場合、複数台の室内ユニットを同時に冷房運転させると共に、上記室内膨張弁の弁開度を所定開度に絞って、上記圧縮機の吐出冷媒を、上記室外熱交換器、上記液管、上記室内膨張弁、上記室内熱交換器、上記低圧開閉弁及び上記低圧ガス管を順次経て上記圧縮機に戻すことを特徴とする。
【００１２】
請求項６記載の発明は、請求項５記載のものにおいて、上記室外熱交換器が水冷式であって、上記冷房運転中にこの室外熱交換器に冷却水を供給するポンプを強制的に運転継続することを特徴とする。
【００１３】
【発明の実施の形態】
以下、本発明の実施の形態を、図面に基づき説明する。
【００１４】
図１は、本発明に係る空気調和装置の第一の実施の形態を示す冷媒回路図である。この空気調和装置３０は、圧縮機２、室外熱交換器３及び室外膨張弁２７を備えた室外ユニット１と、室内熱交換器６ａ及び室内膨張弁１８ａを備えた室内ユニット５ａと、室内熱交換器６ｂ及び室内膨張弁１８ｂを備えた室内ユニット５ｂと、室内熱交換器６ｃ及び室内膨張弁１８ｃを備えた室内ユニット５ｃとを有して構成される。そして、これらの室外ユニット１と室内ユニット５ａ、５ｂ、５ｃとがユニット間配管１０により接続されて、空気調和装置３０は、室内ユニット５ａ、５ｂ、５ｃを同時に冷房運転もしくは暖房運転可能とし、または、これらの冷房運転と暖房運転とを混在して実施可能とする。
【００１５】
上記室外ユニット１では、室外熱交換器３の一端が、圧縮機２の吐出管７と吸込管８とに、それぞれ切換弁９ａ、９ｂを介して択一に分岐して接続されている。また、吸込管８にアキュムレータ４が配設されている。
【００１６】
上記したユニット間配管１０は、高圧ガス管１１、低圧ガス管１２及び液管１３を備えて構成されている。高圧ガス管１１が吐出管７に接続され、低圧ガス管１２が吸込管８に接続されている。液管１３は、室外膨張弁２７を介して室外熱交換器３の他端に接続されている。
【００１７】
上記室内ユニット５ａ、５ｂ、５ｃのそれぞれの室内熱交換器６ａ、６ｂ、６ｃは、それらの他端が、室内膨張弁１８ａを配設した液分岐管１９ａ、室内膨張弁１８ｂを配設した液分岐管１９ｂ、室内膨張弁１８ｃを配設した液分岐管１９ｃを介して液管１３にそれぞれ接続される。
【００１８】
また、上記室内ユニット５ａの室内熱交換器６ａは、その一端が、ガス分岐管１４ａを介して高圧ガス管１１に接続されるとともに、ガス分岐管１５ａを介して低圧ガス管１２に接続される。
【００１９】
上記室内ユニット５ｂの室内熱交換器６ｂは、その一端が、ガス分岐管１４ｂを介して高圧ガス管１１に接続されるとともに、ガス分岐管１５ｂを介して低圧ガス管１２に接続される。更に、上記室内ユニット５ｃの室内熱交換器６ｃは、その一端が、ガス分岐管１４ｃを介して高圧ガス管１１に接続されるとともに、ガス分岐管１５ｃを介して低圧ガス管１２に接続される。
【００２０】
ガス分岐管１４ａ、１４ｂ、１４ｃのそれぞれに、高圧開閉弁１６ａ、１６ｂ、１６ｃが配設される。また、ガス分岐管１５ａ、１５ｂ、１５ｃのそれぞれに、低圧開閉弁１７ａ、１７ｂ、１７ｃが配設される。尚、図１中の符号２０ａ、２０ｂ、２０ｃは電磁弁キットである。
【００２１】
図２は、上記圧縮機２の制御回路図である。
【００２２】
この圧縮機２は三相電源５１に接続され、圧縮機２の発停を制御するマグネットスイッチ５３を有する。三相電源５１のＴ相には、電流検出器５５が設けられ、この電流検出器５５は制御基板５７に設けられたＣＴ入力ポート５７Ａに接続される。この制御回路では、制御基板５７を経てマグネットスイッチ５３に出力される制御信号Ｓが、圧縮機２の運転を停止するＯＦＦ信号であるにも係わらず、電流検出器５５が一定以上の電流を検出した場合、マグネットスイッチ５３が溶着トラブルを起こして圧縮機２が駆動継続状態となったと判断する。
【００２３】
この場合、後述する所定の保護制御が開始されると共に、図示を省略したリモコンに、例えば「点検」等の文字が表示される。
【００２４】
次に運転動作を説明する。
【００２５】
（Ａ）全室内ユニット５ａ、５ｂ、５ｃを同時に冷房する場合、室外熱交換器３の一方の切換弁９ａを開くとともに他方の切換弁９ｂを閉じ、且つ電磁弁キット２０ａ、２０ｂ、２０ｃの高圧開閉弁１６ａ、１６ｂ、１６ｃを閉じるとともに、低圧開閉弁１７ａ、１７ｂ、１７ｃを開く。
【００２６】
これにより、圧縮機２から吐出された冷媒は、吐出管７、切換弁９ａ、室外熱交換器３へと順次流れ、この室外熱交換器３で凝縮液化した後、液管１３と液分岐管１９ａ、１９ｂ、１９ｃを経て各室ユニット５ａ、５ｂ、５ｃの室内膨張弁１８ａ、１８ｂ、１８ｃに分配され、ここで減圧される。
【００２７】
しかる後、冷媒は、各室内熱交換器６ａ、６ｂ、６ｃで蒸発気化した後、それぞれ低圧開閉弁１７ａ、１７ｂ、１７ｃを流れた後、低圧ガス管１２、吸込管８、アキュムレータ４を順次経て圧縮機２に吸入される。このように、蒸発器として作用する各室内熱交換器６ａ、６ｂ、６ｃで全室内ユニット５ａ、５ｂ、５ｃが同時に冷房される。
【００２８】
（Ｂ）全室内ユニット５ａ、５ｂ、５ｃを同時に暖房する場合、室外熱交換器３の一方の切換弁９ａを閉じるとともに他方の切換弁９ｂを開き、且つ電磁弁キット２０ａ、２０ｂ、２０ｃの高圧開閉弁１６ａ、１６ｂ、１６ｃを開くとともに、低圧開閉弁１７ａ、１７ｂ、１７ｃを閉じる。
【００２９】
これにより、圧縮機２から吐出された冷媒は、吐出管７、高圧ガス管１１を順次経てガス分岐管１４ａ、１４ｂ、１４ｃに分配された後、高圧開閉弁１６ａ、１６ｂ、１６ｃ、室内熱交換器６ａ、６ｂ、６ｃへと流れ、ここでそれぞれ凝縮液化した後、各室内膨張弁１８ａ、１８ｂ、１８ｃで減圧され、液分岐管１９ａ、１９ｂ、１９ｃを経て液管１３で合流される。
【００３０】
しかる後、室外熱交換器３で蒸発気化した後、切換弁９ｂ、吸込管８、アキュムレータ４を順次経て圧縮機２に吸入される。このように凝縮器として作用する各室内熱交換器６ａ、６ｂ、６ｃで、全室内ユニット５ａ、５ｂ、５ｃが同時に暖房される。
【００３１】
（Ｃ）同時に、例えば室内ユニット５ａ及び５ｃを冷房し、室内ユニット５ｂを暖房する場合、室外熱交換器３の一方の切換弁９ａを開くとともに他方の切換弁９ｂを閉じ、且つ、冷房する室内ユニット５ａ、５ｃの電磁弁キット２０ａ、２０ｃにおける高圧開閉弁１６ａ、１６ｃを閉じるとともに、低圧開閉弁１７ａ、１７ｃを開き、且つ暖房する室内ユニット５ｂの電磁弁キット２０ｂにおける高圧開閉弁１６ｂを開くとともに、低圧開閉弁１７ｂを閉じる。すると、圧縮機２から吐出された冷媒の一部が吐出管７、切換弁９ａを順次経て室外熱交換器３に流れるとともに、残りの冷媒が高圧ガス管１１を経て暖房する室内ユニット５ｂの電磁弁キット２０ｂにおける高圧開閉弁１６ｂ、室内熱交換器６ｂへと流れ、この室内熱交換器６ｂの室外熱交換器３で凝縮液化される。
【００３２】
そして、これら熱交換器６ｂ、室外熱交換器３で凝縮液化された冷媒は、液管１３を経て室内ユニット５ａ、５ｃの室内膨張弁１８ａ、１８ｃで減圧された後、それぞれの室内熱交換器６ａ、６ｃで蒸発気化される。
【００３３】
しかる後、冷媒は、低圧開閉弁１７ａ、１７ｃを流れて低圧ガス管１２で合流し、吸込管８、アキュムレータ４を順次経て圧縮機２に吸入される。このように、凝縮器として作用する室内熱交換器６ｂで室内ユニット５ｂが暖房され、蒸発器として作用する他の室内熱交換器６ａ、６ｃで室内ユニット５ａ、５ｃがそれぞれ冷房される。
【００３４】
次に、例えば、室内ユニット５ｂで冷房し、室内ユニット５ａ、５ｃで暖房する場合には、室外熱交換器３の一方の切換弁９ａを閉じるとともに他方の切換弁９ｂを開き、且つ冷房する室内ユニット５ｂの電磁弁キット２０ｂにおける高圧開閉弁１６ｂを閉じるとともに、低圧開閉弁１７ｂを開き、且つ暖房する室内ユニット５ａ、５ｃの電磁弁キット２０ａ、２０ｃにおける高圧開閉弁１６ａ、１６ｃを開くとともに、低圧開閉弁１７ａ、１７ｃを閉じる。すると、圧縮機２から吐出された冷媒が吐出管７、高圧ガス管１１を順次経て高圧開閉弁１６ａ、１６ｃへと分配され、それぞれの室内熱交換器６ａ、６ｃで凝縮液化される。そして、この液化された冷媒は、それぞれ全開された室内膨張弁１８ａ、１８ｃを経て液管１３に流れる。この液管中の液冷媒の一部が、室内膨張弁１８ｂで減圧された後に室内熱交換器６ｂで、且つ、残りの液冷媒が室外膨張弁２７で減圧された後に室外熱交換器３でそれぞれ蒸発気化され、吸引管８、アキュムレータ４を順次経て圧縮機２に吸入される。
【００３５】
このように、凝縮器として作用する室内熱交換器６ａ、６ｃで室内ユニット５ａ、５ｃが暖房され、蒸発器として作用する他の室内熱交換器６ｂで室内ユニット５ｂが冷房される。
【００３６】
以上の如く、冷房する室内ユニット５ａ、５ｂ、５ｃの数（冷房容量）が暖房する室内ユニット５ａ、５ｂ、５ｃの数（暖房容量）よりも多いときは室外熱交換器３を凝縮器として、逆に、冷房する室内ユニット５ａ、５ｂ、５ｃの数（暖房容量）が暖房する室内ユニット５ａ、５ｂ、５ｃの数（冷房容量）よりも少ないときは室外熱交換器３を蒸発器として作用させることにより、任意の室内ユニット５ａ、５ｂ、５ｃが自由に冷暖房される。
【００３７】
（Ｄ）本実施形態では、図２に示す制御回路によって、圧縮機２の駆動継続状態が検出された場合、図示を省略したリモコンに、例えば「点検」の文字が表示されると共に、以下の保護制御が開始される。
【００３８】
すなわち、圧縮機２の駆動継続状態が検出された場合、図１を参照して、制御手段１００のコントロールにより、高圧開閉弁１６ａ、１６ｂ、１６ｃと、低圧開閉弁１７ａ、１７ｂ、１７ｃとが共に開かれる。
【００３９】
すると、圧縮機２から吐出された冷媒は、吐出管７、高圧ガス管１１を順次経てガス分岐管１４ａ、１４ｂ、１４ｃに分配された後、高圧開閉弁１６ａ、１６ｂ、１６ｃへと流れる。そして、室内熱交換器６ａ、６ｂ、６ｃをバイパスして、低圧開閉弁１７ａ、１７ｂ、１７ｃ、及びガス分岐管１５ａ、１５ｂ、１５ｃを経て、低圧ガス管１２に至り、ここから吸込管８、アキュムレータ４を順次経て圧縮機２に戻される。
【００４０】
本実施形態では、冷媒が、室内熱交換器６ａ、６ｂ、６ｃをバイパスするため、負荷がほとんどかからず、マグネットスイッチ５３が溶着して圧縮機２が連続運転状態となっても、冷媒の高圧が上昇せず、吐出温度が上昇せず、圧縮機２への液バックが防止される。
【００４１】
（Ｅ）別の実施形態では、圧縮機２の駆動継続状態が検出された場合、図３に示すように、室内膨張弁１８ａ、１８ｂ、１８ｃの弁開度を絞る制御が実行される。本制御を実行するに先立っては、室内ユニット５ａ、５ｂ、５ｃを同時に冷房運転に移行し、室内熱交換器６ａ、６ｂ、６ｃの室内ファン（図示せず）を微風運転し、室外膨張弁２７を全開させる。
【００４２】
そして、微風で冷房運転しながら、すべての室内膨張弁１８ａ、１８ｂ、１８ｃの弁開度を、例えば７５ステップに絞る（Ｓ１）。ここで、膨張弁はステッピングモータ駆動であり、約６０ステップで全閉し、４８０ステップで全開する。
【００４３】
ついで、室外熱交換器３に付設された温度センサ６１で凝縮温度を検出し、この温度が６２℃を越えたか否かを判定する（Ｓ２）。この凝縮温度が６２℃を越えた場合、高圧上昇を抑制するため、すべての室内膨張弁１８ａ、１８ｂ、１８ｃの弁開度を、さらに２ステップ絞る（Ｓ３）。高圧が上昇しすぎた場合、破裂に至る恐れがあるからである。
【００４４】
Ｓ２で、凝縮温度が６２℃を越えない場合、圧縮機２の吐出管７に設けた温度センサ６３によって吐出温度を検出し、この温度が１０５℃を越えたか否かを判定する（Ｓ４）。この温度が１０５℃を越えない場合、今度は、吐出過熱度を検出し、この吐出過熱度が５℃を越えたか否かを判定する（Ｓ５）。この吐出過熱度が５℃を越えない場合、冷媒の流れすぎであるから、上記のＳ３へ移行して、すべての室内膨張弁１８ａ、１８ｂ、１８ｃの弁開度を、７５ステップの状態から２ステップ絞る制御（ＭＶ−２）を実行する。
【００４５】
Ｓ４で、吐出温度が１０５℃を越えた場合には、すべての室内膨張弁１８ａ、１８ｂ、１８ｃの弁開度を、２ステップ開く（Ｓ６）。
【００４６】
吐出温度が上昇しすぎた場合、圧縮機２のオイルが劣化したり、モータが焼損したりする恐れがあるからである。
【００４７】
Ｓ５で、吐出過熱度が５℃を越えていれば、冷媒流量は適正であるため、すべての室内膨張弁１８ａ、１８ｂ、１８ｃの弁開度を、そのまま維持し（Ｓ７）、例えば３０秒毎に上述の制御を繰り返す。
【００４８】
本実施形態では、室内ユニット５ａ、５ｂ、５ｃの全てを、微風による冷房運転に移行させた上で、室内膨張弁１８ａ、１８ｂ、１８ｃの弁開度を絞る制御を実行するため、空調空間を微風で冷房しつつ、冷媒流量を適性に維持することができる。そのため、マグネットスイッチ５３が溶着しても、ユーザーに不快感を与えることなく、冷媒の高圧上昇を抑制し、吐出温度上昇を抑制し、圧縮機２への液バックを防止することができる。
【００４９】
（Ｆ）更に別の実施形態では、圧縮機２の駆動継続状態が検出された場合、図１を参照して、上記室外熱交換器３に付設された冷却水の供給ポンプ６５のポンプ運転出力を強制的にＯＮする。言い換えれば、圧縮機２の駆動継続状態が検出された場合、供給ポンプ６５を停止させない。
【００５０】
この場合、室外熱交換器３は水冷式に限定される。この制御がかかると、室外熱交換器３での冷却が継続されるので、マグネットスイッチ５３が溶着して圧縮機２が連続運転状態となっても、冷媒の高圧上昇が抑制され、吐出温度上昇が抑制され、圧縮機２への液バックが防止される。
【００５１】
以上、本発明を一実施形態に基づいて説明したが、本発明はこれに限定されるものではない。上記（Ｅ）または（Ｆ）の制御は単独でも或いは組み合わせて行っても効果が得られることは明らかである。
【００５２】
【発明の効果】
本発明では、上記のように構成したので、マグネットスイッチが溶着して圧縮機が連続運転状態となっても、冷媒の高圧が上昇せず、吐出温度が上昇せず、圧縮機への液バックが防止される。
【図面の簡単な説明】
【図１】本発明に係る空気調和装置の一実施形態を示す冷媒回路図である。
【図２】圧縮機の制御回路図である。
【図３】別の実施形態を示すフローチャートである。
【符号の説明】
１  室外ユニット
２  圧縮機
３  室外熱交換器
５ａ、５ｂ、５ｃ  室内ユニット
６ａ、６ｂ、６ｃ  室内熱交換器
７  吐出管
８  吸込管
１０  ユニット間配管
１１  高圧ガス管
１２  低圧ガス管
１３  液管
１６ａ、１６ｂ、１６ｃ  高圧開閉弁
１７ａ、１７ｂ、１７ｃ  低圧開閉弁
１８ａ、１８ｂ、１８ｃ  室内膨張弁
３０  空気調和装置
５３  マグネットスイッチ
１００  制御手段
【図１】
0004155699.tif 000002
【図２】
0004155699.tif 000003
【図３】
0004155699.tif 000004